【事件の表示】
　特願２０１４−１８０８０５号「遊技機」拒絶査定不服審判事件〔平成２７年　１月　８日出願公開、特開２０１５−　　３０８２号〕について、次のとおり審決する。
【結　論】
　本件審判の請求は、成り立たない。
【理　由】
第１　手続の経緯
　本願は、平成２４年８月３１日に出願された特願２０１２−１９１５９９号（以下「原出願」という。）の一部を平成２６年９月５日に新たな特許出願（特願２０１４−１８０８０５号）としたものであって、平成２８年６月１６日付けで拒絶の理由が通知され、同年８月５日に意見書及び手続補正書が提出され、平成２９年１月２３日付けで最後の拒絶の理由が通知され、同年３月２１日に意見書及び手続補正書が提出されたところ、同年８月１日付けで、前記平成２９年３月２１日になされた手続補正が却下されるとともに同日付けで拒絶査定がなされ、それに対して、同年１０月２７日に拒絶査定不服審判の請求がなされると同時に手続補正がなされたものである。
　なお、本願は、「タイヨーエレック株式会社」により出願されたが，平成２９年３月３１日付けで承継人を「サミー株式会社」とする出願人名義変更届の提出がなされた。
第２　平成２９年１０月２７日になされた手続補正についての補正の却下の決定
［補正の却下の決定の結論］
　平成２９年１０月２７日になされた手続補正（以下「本件補正」という。）を却下する。
［理由］
１　本件補正の内容
（１）
　本件補正は特許請求の範囲の請求項１の記載の補正を含む補正であり、本件補正により、特許請求の範囲の請求項１の記載は、本件補正前の
「　【請求項１】
　遊技進行過程において所定の特別遊技条件が成立すると、可変入賞口を遊技者にとって有利な状態とする特別遊技を行う特別遊技実行手段と、
　遊技進行に合わせて所定の遊技演出を行う遊技演出実行手段と、
　を備え、
　記録媒体の取り忘れ防止用の演出を、前記特別遊技の終了デモ期間中に行う
　ことを特徴とする遊技機。」から、
　本件補正後の
「　【請求項１】
　遊技進行過程において所定の特別遊技条件が成立すると、可変入賞口を遊技者にとって有利な状態とする特別遊技を行う特別遊技実行手段と、
　遊技進行に合わせて所定の遊技演出を行う遊技演出実行手段と、
　を備え、
　記録媒体の取り忘れ防止用の演出を、前記特別遊技の終了デモ期間中に行う
、取り忘れ防止演出を発生可能であり、
　
初当りであることを示す遊技演出を行い前記取り忘れ防止演出を発生させる場合と、持ち球遊技を継続できることを示す遊技演出を行い前記取り忘れ防止演出を発生させない場合とを有し、
　前記初当りであることを示す遊技演出を行い前記取り忘れ防止演出を発生させる場合と、前記持ち球遊技を継続できることを示す遊技演出を行い前記取り忘れ防止演出を発生させない場合とが、一組の制御コマンドにより判断可能になっている
　ことを特徴とする遊技機。」に補正された（当審にて、補正箇所を明示するための下線を付した。）。
（２）
　本件補正後の請求項１に係る上記（１）の補正は、以下の２つの補正事項１及び２からなる。
ア　補正事項１
　本件補正前の「記録媒体の取り忘れ防止用の演出を、前記特別遊技の終了デモ期間中に行う」との記載を、「記録媒体の取り忘れ防止用の演出を、前記特別遊技の終了デモ期間中に行う、取り忘れ防止演出を発生可能であり」とするとともに、「初当りであることを示す遊技演出を行い前記取り忘れ防止演出を発生させる場合と、持ち球遊技を継続できることを示す遊技演出を行い前記取り忘れ防止演出を発生させない場合とを有し」ていることを追加する補正。
イ　補正事項２
　「前記初当りであることを示す遊技演出を行い前記取り忘れ防止演出を発生させる場合と、前記持ち球遊技を継続できることを示す遊技演出を行い前記取り忘れ防止演出を発生させない場合とが、一組の制御コマンドにより判断可能になっている」ことを追加する補正。
２　補正の適否
（１）新規事項について
　上記１（２）の補正事項１及び２における「初当りであることを示す遊技演出を行い前記取り忘れ防止演出を発生させる場合」は、本願の願書に最初に添付された明細書、特許請求の範囲及び図面（以下「当初明細書等」という。）に記載された「初当り…を祝う演出」を行い、「第１演出パターンや第３演出パターンが実行される場面」（【００９６】）に対応する。そして、「第１演出パターン」及び「第３演出パターン」はそれぞれ、「記録媒体の排出を遊技者に促すための演出」及び「記録媒体に排出を強く促すための演出」を含む（【００８５】）ので、上記１（２）の補正事項１における「取り忘れ防止演出を発生可能であ」ることは、当初明細書等に記載された「第１演出パターンや第３演出パターンが実行される」（【００９６】）ことに対応する。
　また、上記１（２）の補正事項１及び２における「持ち球遊技を継続できることを示す遊技演出を行い前記取り忘れ防止演出を発生させない場合」は、当初明細書等に記載された「持ち球遊技を継続できることを祝う演出」を行い、「第２演出パターンが実行される場面」（【００９６】）に対応する。
　そして、上記１（２）の補正事項２における「…前記取り忘れ防止演出を発生させる場合と、…前記取り忘れ防止演出を発生させない場合とが、一組の制御コマンドにより判断可能になっている」ことは、当初明細書等に記載の「サブ制御基板９０は、大当り遊技終了指定コマンドに含まれる演出パターン指定コマンドで指定された演出パターンに従って大当り遊技終了演出を行う」（【００８９】）ことに対応する。
　したがって、上記１（２）の補正事項１及び２はいずれも、当初明細書等に記載した事項の範囲内においてしたものであるといえる。
（２）補正の目的について
ア　補正事項１について
　本件補正前の「記録媒体の取り忘れ防止用の演出を、前記特別遊技の終了デモ期間中に行う」という発明特定事項については、記録媒体の取り忘れ防止用の演出を必ず行うものと解されるから、上記１（２）の補正事項１において、「記録媒体の取り忘れ防止用の演出を、前記特別遊技の終了デモ期間中に行う、取り忘れ防止演出を発生可能であり」とし、「取り忘れ防止演出」を必ずしも「発生させない場合」を「有し」ていることは、本件補正前の前記発明特定事項を限定するとはいえない。
　したがって、上記１（２）の補正事項１は、特許法第１７条の２第５項第２号に規定する特許請求の範囲の減縮を目的とする補正に該当しない。
　そして、上記１（２）の補正事項１が、同法第１７条の２第５項第１、３及び４号にそれぞれ掲げる請求項の削除、誤記の訂正及び明りょうでない記載の釈明のいずれにも該当しないことは明らかである。
イ　補正事項２について
　上記１（２）の補正事項２は、「初当りであることを示す遊技演出を行い前記取り忘れ防止演出を発生させる場合」と「前記持ち球遊技を継続できることを示す遊技演出を行い前記取り忘れ防止演出を発生させない場合」とが、「一組の制御コマンドにより判断可能になっている」という、いずれの演出を発生させるかの判断の態様を特定するものであって、本件補正前の「記録媒体の取り忘れ防止用の演出を…行う」、すなわち、取り忘れ防止用の演出を行うか行わないかという事項とは概念的に異なった事項を特定するものである。また特に、「前記持ち球遊技を継続できることを示す遊技演出を行い前記取り忘れ防止演出を発生させない場合」を「判断」することは、本件補正前の「記録媒体の取り忘れ防止用の演出を…行う」ことを限定しているとはいえない。
　したがって、上記１（２）の補正事項２は、特許法第１７条の２第５項第２号に規定する特許請求の範囲の減縮を目的とする補正に該当しない。
　そして、上記１（２）の補正事項２が、同法第１７条の２第５項第１、３及び４号にそれぞれ掲げる請求項の削除、誤記の訂正及び明りょうでない記載の釈明のいずれにも該当しないことは明らかである。
ウ　審判請求人の主張について
　審判請求人は、平成２９年１０月２７日提出の審判請求書の「３．同日付で行った補正の内容」において、「今回の補正は、補正の却下の決定にてご指摘頂いた点並びに最後の拒絶理由が解消されるように限定的に補正し特許請求の範囲を減縮したものである。よって、今回の補正事項は、特許法第１７条の２第４項及び第５項にも違反せず…」と主張している。
　上記主張の「限定的に補正し特許請求の範囲を減縮したもの」である点については、審判請求書の「３．同日付で行った補正の内容」の記載を参酌しても、その具体的な根拠が記載されていない。
　そして、補正事項１及び２が、特許請求の範囲の減縮を目的とするものとはいえないことは、上記ア及びイのとおりである。
　したがって、審判請求人の主張を採用することはできない。
エ　補正の目的についてのむすび
　上記アからウより、本件補正は、特許法第１７条の２第５項の各号に掲げるいずれの事項を目的とするものにも該当しない。
　以上より、本件補正は、特許法第１７条の２第５項の規定に違反するので、同法第１５９条第１項において読み替えて準用する同法第５３条第１項の規定により却下すべきものである。
３　独立特許要件についての検討
　本件補正が目的外補正であることを理由として却下すべきであることは、上記２（２）で説示したとおりであるが、仮に本件補正が特許法第１７条の２第５項第２号に掲げる特許請求の範囲の減縮を目的とするものであるとして、本件補正後の請求項１に係る発明（以下「本件補正発明」という。）が、特許出願の際独立して特許を受けることができるものであるか（特許法第１７条の２第６項において準用する同法第１２６条第７項の規定に適合するか）についても、一応以下で検討することとする。
（１）本件補正発明
　本件補正発明を再掲すると、次のとおりのものである（当審にて、分説のための記号ＡからＦを付した。以下「構成Ａ」等という。）。
「　　【請求項１】
Ａ　遊技進行過程において所定の特別遊技条件が成立すると、可変入賞口を遊技者にとって有利な状態とする特別遊技を行う特別遊技実行手段と、
Ｂ　遊技進行に合わせて所定の遊技演出を行う遊技演出実行手段と、
　　を備え、
Ｃ　記録媒体の取り忘れ防止用の演出を、前記特別遊技の終了デモ期間中に行う、取り忘れ防止演出を発生可能であり、
Ｄ　初当りであることを示す遊技演出を行い前記取り忘れ防止演出を発生させる場合と、持ち球遊技を継続できることを示す遊技演出を行い前記取り忘れ防止演出を発生させない場合とを有し、
Ｅ　前記初当りであることを示す遊技演出を行い前記取り忘れ防止演出を発生させる場合と、前記持ち球遊技を継続できることを示す遊技演出を行い前記取り忘れ防止演出を発生させない場合とが、一組の制御コマンドにより判断可能になっている
Ｆ　ことを特徴とする遊技機。」
（２）特許請求の範囲の記載についての検討
　本件補正後の請求項１には、「記録媒体の取り忘れ防止用の演出を、前記特別遊技の終了デモ期間中に行う、取り忘れ防止演出を発生可能であり」と記載されているが、本件補正発明の当該構成Ｃにおいて、「取り忘れ防止演出を発生可能であ」る主体（主語）が何であるかは明示されていない。
　同様に、本件補正発明の構成Ｄにおいて、「初当りであることを示す遊技演出を行い前記取り忘れ防止演出を発生させる」主体、及び「持ち球遊技を継続できることを示す遊技演出を行い前記取り忘れ防止演出を発生させない」主体、並びに本件補正発明の構成Ｅにおいて、「一組の制御コマンドにより判断可能」な主体のいずれも、本件補正後の請求項１には明示されていない。
　また、「一組の制御コマンド」が何から何に対するコマンドであるかも、本件補正後の請求項１には明示されていない。
　そうすると、「一組の制御コマンド」が何から何へ送られ、何において当該コマンドにより判断可能で、何が各遊技演出を行い、何が取り忘れ防止演出を発生させたりさせなかったりするのかが不明である。
　その結果、「制御コマンド」に如何なるコマンドが含まれるのか、その具体的内容が不明確であり、また、その具体的内容が不明確であるので、「一組の制御コマンド」がどのような態様をもって「一組」といえるのかも不明瞭である。
　したがって、本件補正後の特許請求の範囲の請求項１の記載は、特許法第３６条第６項第２号に規定する要件を満たしていないから、本件補正発明は、特許出願の際独立して特許を受けることができない。
　よって、本件補正は、特許法第１７条の２第６項において準用する同法第１２６条第７項の規定に違反するので、同法第１５９条第１項において読み替えて準用する同法第５３条第１項の規定により却下すべきものである。
　本件補正が特許請求の範囲の記載要件違反に基づいた独立特許要件違反であることを理由として却下すべきであることは、上記で説示したとおりであるが、別の理由についても以下で補足的に検討する。
（３）先願発明１
　原審の平成２９年８月１日付けの補正の却下の決定で用いられた、本願の原出願の出願の日前の他の特許出願であって、原出願の出願の日後に出願公開がされた特願２０１２−１４５８６４号（以下「先願１」という。特開２０１４−８１４５号公報参照。）の願書に最初に添付した明細書、特許請求の範囲又は図面（以下「先願明細書等１」という。）には、以下の事項が図面とともに記載されている（下線は当審にて付与した。）。
（記載事項）
ア
「【００２２】
　次に、図１を参照して、本実施形態のパチンコ遊技機の構成について説明する。図１に示すように、
パチンコ遊技機１
・・・略・・・
【００２８】
　図２は、本実施形態のパチンコ遊技機の背面側の斜視図である。図２に示すように、
パチンコ遊技機１の背面
・・・略・・・
【００３１】
　また、裏機構盤１６の略中央には、遊技盤４の裏側に装着された透明の裏カバー２３が備えられており、この裏カバー２３内に、
演出制御基板２５を収納した
演出制御基板ケース２５ａ
が設けられている。
・・・略・・・
【００３３】
　液晶制御基板ケース２６ａの下方には、
主制御基板２４を収納した
主制御基板ケース２４ａが設けられている。
・・・略・・・
【００４１】
　遊技盤４の中央部には開口が形成され、この開口内に液晶表示装置３６の表示画面が配置される。
液晶表示装置３６は
各種演出を遊技に応じて表示する
・・・略・・・
【００４５】
　始動入賞装置３８の下方には、第１大入賞装置３９ａが配置されている。また、始動入賞装置３８の右側には、第２大入賞装置３９ｂが配置されている。
大入賞装置３９ａ、３９ｂは
特別図柄の抽選に当選し
大当りとなったときに所定時間開放される
多くの賞球を獲得することが可能となる
・・・略・・・
【００６６】
　演出制御基板２５には、液晶制御基板２６が接続されている。
液晶制御基板２６は、演出制御基板２５からコマンドを受けて液晶表示装置３６の表示制御を行う
・・・略・・・
【００７１】
　上記の構成により
液晶制御基板２６は、演出制御基板２５から送信された液晶制御コマンドに基づき
液晶表示装置３６に演出画像や動画を表示している。
イ
「【００７２】
　［実施例１］
　以下、本発明の実施例１について説明する。
・・・略・・・
【００８２】
　まず、
「表示態様１」
大当り１（初回のみ）の終了インターバル期間に実行される表示態様である。
当り遊技の終了と共に、「○○モード突入」という演出表示が行われ
・・・略・・・
【００８４】
　
その後
注意喚起表示が行われる。
注意喚起表示は、球貸機に挿入されたプリペイドカードが排出される様子を示す動画となっている
プリペイドカードの絵と共に、「プリペイドカードの取り忘れにご注意ください！」との文字情報が表示される。
・・・略・・・
【００８６】
　
注意喚起表示の表示期間が終了
その後、図柄の変動が開始する。ここでは、当り遊技終了から図柄の変動開始前までの間が大当り終了インターバル期間であり
【００８７】
　次に、
「表示態様２」
これは
の終了インターバル期間に実行される
大当り
２回目以降の大当りとして発生した場合には、「○○モード継続」の演出表示となる。
【００８８】
　企業ロゴ表示、
注意喚起表示は実行されず
ウ　
「【００９４】
　まず、
主制御手段（主制御基板２４）
・・・略・・・
【０１０６】
　最後に、ステップＳ６０では、
主制御手段は、特別電動役物管理処理を行う。これは、特別図柄の抽選結果により
大入賞装置３９ａ、３９ｂ
の動作を制御する処理である。
【０１０７】
　詳細は後述するが、
特別図柄が当り態様で停止した場合には、いわゆる大当りとなり、所定ラウンド数の大当り遊技が遊技者に付与される。
・・・略・・・
【０１１２】
　ステップＳ６０１の判定が「ＮＯ」である場合、主制御手段は、条件装置作動フラグがＯＮか否かを判定する（ステップＳ６０３）。条件装置作動フラグがＯＮしている場合には、「ＹＥＳ」の判定となり、ステップＳ６０４に進む。一方、条件装置作動フラグがＯＮしていない場合には、「ＮＯ」の判定となり、この処理を終了する。すなわち、
ステップＳ６０４以降は、大当りが発生した場合の処理
・・・略・・・
【０１２２】
　次に、図１１を参照して、
特別電動役物管理処理の中で行われる特別電動役物作動開始処理
主制御手段は
この処理を行う。
・・・略・・・
【０１２６】
　
ステップＳ１１３では、主制御手段は、大当り種別とラウンド数に応じた特別電動役物作動時間を特別図柄役物動作タイマに格納する。
・・・略・・・
【０１２９】
　最後に、
主制御手段は、大入賞口開閉動作設定を行う（ステップＳ１１５）。
大当り種別とラウンド数に応じた大入賞口開閉動作設定テーブルと、特別電動役物作動タイマの値とを取得し、大入賞装置３９の開閉扉の動作を設定する。
【０１３０】
　次に、図１２を参照して、
特別電動役物管理処理の中で行われる特別電動役物動作中処理
主制御手段は
この処理を行う。
・・・略・・・
【０１３２】
　ステップＳ１２２では、
主制御手段は、大入賞口開閉動作設定を行う。
ステップＳ１１５と同じ処理である
・・・略・・・
【０１５２】
　以下では、図１５を参照して、副制御側で行われるメイン処理について説明する。このメイン処理には、
副制御手段（演出制御基板２５）
・・・略・・・
【０１５８】
　ステップＳ１５５では、
副制御手段は、受信コマンド解析処理を行う。
・・・略・・・
【０１６５】
　ステップＳ１６１の判定が「ＹＥＳ」である場合、
副制御手段は、受信コマンドが大当り開始インターバルコマンドであるか否かを判定する（ステップＳ１６２）。
・・・略・・・
【０１６７】
　
ステップＳ１６２の判定が「ＹＥＳ」である場合
大当り開始時設定処理を行う（ステップＳ１６３）。
【０１６８】
　以下、図１７を参照して、
受信コマンド解析処理の中で行われる大当り開始時設定処理
【０１６９】
　まず、副制御手段は、大当り開始前の遊技状態を記憶する（ステップＳ１７１）。
遊技状態には、通常遊技状態、確変遊技状態（潜伏確変を含む）、時短遊技状態がある
【０１７０】
　ステップＳ１７２では、副制御手段は、大当り種別を記憶する。
大当り種別には、大当り１〜４があるが、抽選により当選した大当り種別
・・・略・・・
【０１７２】
　図１６に戻って、ステップＳ１６２の判定が「ＮＯ」である場合、
副制御手段は、受信コマンドが大当り終了インターバルコマンドであるか否かを判定する（ステップＳ１６４）。
・・・略・・・
【０１７４】
　
ステップＳ１６４の判定が「ＹＥＳ」である場合
大当り終了時設定処理を行う（ステップＳ１６５）。
エ　
「【０１９２】
　［実施例２］
　次に、本発明の
実施例２
実施例１と異なる部分について説明する。
【０１９３】
　まず、図２０を参照して、実施例２の大当り種別と遊技状態について説明する。
実施例２の大当りには、大当り１〜４の４種類があり
【０１９４】
　まず、
「大当り１」
これは、１５ラウンドの確率変動付き大当りである。
【０１９５】
　
大当り１では
表示態様１又は表示態様２が実行される
【０１９６】
　次に、
「大当り２」
これは、５ラウンドの確率変動付き大当りである。
表示態様１又は表示態様２が実行される
・・・略・・・
【０２００】
　大当り１、２、４の当り遊技の終了後は、大当り確率の点で通常遊技状態より有利な確変遊技状態となるので、大当り１、２、４は、本発明の「第２当り」に相当する。大当り４の終了後に注意喚起表示が行われるようにすることもできるが、実施例２では、ある程度の出玉が手元に残る上に有利な遊技状態に移行して、
遊技者がしばらくの間、遊技球を借りることがなくなる大当り１、２
【０２０１】
　次に、図２１を参照して、
実施例２の
大当り終了時設定処理
【０２０２】
　まず、
副制御手段は
大当り種別が大当り１又は大当り２である場合には
ステップＳ２０２に進む。
【０２０３】
　ステップＳ２０１の判定が「ＹＥＳ」である場合、
副制御手段は、大当り発生時は開放延長中であったか否かを判定する（ステップＳ２０２）。普通電動役物の開放延長が行われるのは、潜伏確変を除く確変遊技状態と時短遊技状態の場合である。
【０２０４】
　
大当り発生時、開放延長中であった場合には
大当り１又は大当り２が２回目以降の当りとして発生した
この場合
ステップＳ２０４に進む。
開放延長中でなかった場合には
初めて大当り１又は大当り２に当選した
この場合
ステップＳ２０３に進む。
【０２０５】
　ステップＳ２０２の判定が「ＹＥＳ」である場合、
副制御手段は
前回の大当りが大当り３である場合には
ステップＳ２０３に進む。
【０２０６】
　一方、前回の大当りが大当り３でない場合、例えば、
大当り１に連続して当選したような場合には
ステップＳ２０５に進む。
【０２０７】
　次に、ステップＳ２０４の判定が「ＹＥＳ」である場合、又はステップＳ２０２の判定が「ＮＯ」である場合、
副制御手段は、終了表示を設定する（ステップＳ２０３）。
表示態様１が選択される。
【０２０８】
　ステップＳ２０４の判定が「ＮＯ」である場合、
副制御手段は、終了表示を設定する（ステップＳ２０５）。
表示態様２が選択される。
・・・略・・・
【０２１０】
　実施例１では、大当り種別と表示済フラグの有無が
注意喚起表示を行うか否かの条件
実施例２では、その条件を大当り種別と大当り発生時の遊技状態（開放延長中か否か）とした。
オ
「【図９】
」
カ
「【図２１】
」
（認定事項）
　上記エ【０１９２】には、「…実施例２…実施例１と異なる部分について説明する。」と記載されているから、実施例２について説明されていない部分に関しては、実施例１と同じであると認められるため、以下ではそのように解することとする。
キ
　上記ア【００２８】には、「パチンコ遊技機１の背面」と記載され、上記ア【００３１】には、「演出制御基板２５を収納した…演出制御基板ケース２５ａと、液晶制御基板２６を収納した…液晶制御基板ケース２６ａとが設けられている。」と記載され、上記ア【００３３】には、「主制御基板２４を収納した…主制御基板ケース２４ａが設けられている。」と記載されているから、先願明細書等１には、パチンコ遊技機１は、主制御基板２４と、演出制御基板２５及び液晶制御基板２６と、を備えることが記載されているといえる。
ク
（ア）上記ウ【０１１２】には、「…ステップＳ６０４以降は、大当りが発生した場合の処理…」と記載され、上記オ【図９】から、「特別電動役物管理処理は、ステップＳ６０４以降に、特別電動役物作動開始処理、及び特別電動役物作動中処理を有している」ことが把握されるので、特別電動役物作動開始処理及び特別電動役物作動中処理は、大当りが発生した場合の処理である。
　そして、上記ウ【０１０６】には、「…主制御手段は、特別電動役物管理処理を行う。」と記載され、上記ウ【０１２２】には、「…特別電動役物管理処理の中で行われる特別電動役物作動開始処理…主制御手段は…この処理を行う。」と記載され、上記ウ【０１３０】には、「…特別電動役物管理処理の中で行われる特別電動役物動作中処理…主制御手段は…この処理を行う。」と記載されているから、主制御手段は、特別電動役物管理処理の中で、大当りが発生した場合の処理として、特別電動役物作動開始処理及び特別電動役物動作中処理を行うといえる。
（イ）上記ウ【０１２２】には、「特別電動役物管理処理の中で行われる特別電動役物作動開始処理」と記載され、上記ウ【０１２６】には、「…主制御手段は、大当り種別とラウンド数に応じた特別電動役物作動時間を特別図柄役物動作タイマに格納する。」と記載され、上記ウ【０１２９】には、「主制御手段は、大入賞口開閉動作設定を行う（ステップＳ１１５）…大当り種別とラウンド数に応じた大入賞口開閉動作設定テーブルと、特別電動役物作動タイマの値とを取得し、大入賞装置３９の開閉扉の動作を設定する。」と記載されているから、主制御手段は、特別電動役物管理処理の中で行われる特別電動役物作動開始処理において、大当り種別とラウンド数に応じて大入賞装置３９の開閉扉の動作を設定するといえる。
　また、上記ウ【０１３０】には、「特別電動役物管理処理の中で行われる特別電動役物動作中処理」と記載され、上記ウ【０１３２】には、「…主制御手段は、大入賞口開閉動作設定を行う。…ステップＳ１１５と同じ処理である…」と記載されているから、主制御手段は、特別電動役物管理処理の中で行われる特別電動役物作動中処理においても、大当り種別とラウンド数に応じて大入賞装置３９の開閉扉の動作を設定するといえる。
　したがって、上記（ア）より、主制御手段は、特別電動役物管理処理の中で、大当りが発生した場合の処理として、大当り種別とラウンド数に応じて大入賞装置３９の開閉扉の動作を設定するといえる。
（ウ）上記ア【００４５】には、「大入賞装置３９ａ、３９ｂは…特別図柄の抽選に当選し…大当りとなったときに所定時間開放される…多くの賞球を獲得することが可能となる」と記載されている。
　そして、実施例１について、上記ウ【０１０７】には、「特別図柄が当り態様で停止した場合には、いわゆる大当りとなり、所定ラウンド数の大当り遊技が遊技者に付与される。」と記載され、上記ウ【０１７０】には、「…大当り種別には、大当り１〜４があるが、抽選により当選した大当り種別…」と記載されている。
　また、実施例２について、上記エ【０１９３】には、「実施例２の大当りには、大当り１〜４の４種類があり」と記載され、上記エ【０１９４】には、「…「大当り１」…これは、１５ラウンドの確率変動付き大当りである。」と記載され、上記エ【０１９６】には、「…「大当り２」…これは、５ラウンドの確率変動付き大当りである。」と記載されている。
　これらの記載を参照すれば、実施例２において、特別図柄の抽選に当選し大当りとなり、抽選により当選した大当り種別が大当り１又は大当り２であるとき、大入賞装置３９ａ、３９ｂが多くの賞球を獲得することが可能となるように所定時間開放される、大当り１又は大当り２の大当り遊技が付与されるといえる。
（エ）上記ウ【０１０６】に「主制御手段は、特別電動役物管理処理を行う。これは、特別図柄の抽選結果により…大入賞装置３９ａ、３９ｂ…の動作を制御する処理である。」と記載されていること、及び上記（イ）より、主制御手段が、特別電動役物管理処理の中で、大当りが発生した場合の処理として、大当り種別とラウンド数に応じて大入賞装置３９の開閉扉の動作を設定することを考慮すれば、上記（ウ）に記載の所定ラウンド数の大当り１又は大当り２の大当り遊技を付与するのが、主制御手段であることは記載されているに等しい事項である。
（オ）したがって、上記（ウ）及び（エ）より、先願明細書等１には、実施例２において、主制御手段は、特別図柄の抽選に当選し大当りとなり、抽選により当選した大当り種別が大当り１又は大当り２であるとき、大入賞装置３９ａ、３９ｂが多くの賞球を獲得することが可能となるように所定時間開放される、大当り１又は大当り２の大当り遊技を付与することが記載されているといえる。
ケ
　上記ア【００４１】には、「液晶表示装置３６は…各種演出を遊技に応じて表示する…」と記載され、上記ア【００６６】には、「液晶制御基板２６は、演出制御基板２５からコマンドを受けて液晶表示装置３６の表示制御を行う…」と記載され、上記ア【００７１】には、「…液晶制御基板２６は、演出制御基板２５から送信された液晶制御コマンドに基づき…液晶表示装置３６に演出画像や動画を表示している。」と記載されているから、演出制御基板２５と液晶制御基板２６とは協働して、液晶表示装置３６の表示制御を行っているといえるので、先願明細書等１には、演出制御基板２５及び液晶制御基板２６は、遊技に応じて各種演出を表示する液晶表示装置３６の表示制御を行うことが記載されているといえる。
コ
（ア）実施例２について、上記エ【０１９３】には、「実施例２の大当りには、大当り１〜４の４種類があり」と記載され、上記エ【０１９５】には、「大当り１では…表示態様１又は表示態様２が実行される…」と記載され、上記エ【０１９６】には、「「大当り２」…表示態様１又は表示態様２が実行される…」と記載されているから、実施例２の大当り１又は大当り２では、表示態様１又は表示態様２が実行されるといえる。
  したがって、実施例２の大当り１又は大当り２では、表示態様１が実行可能であるといえる。
（イ）そして、表示態様１に関して、実施例１についての記載として、上記イ【００８２】には、「…「表示態様１」…これは…大当り１（初回のみ）の終了インターバル期間に実行される表示態様である。…当り遊技の終了と共に、「○○モード突入」という演出表示が行われ…」と記載され、上記イ【００８４】には、「その後…注意喚起表示が行われる。…注意喚起表示は、球貸機に挿入されたプリペイドカードが排出される様子を示す動画となっている…プリペイドカードの絵と共に、「プリペイドカードの取り忘れにご注意ください！」との文字情報が表示される。」と記載され、上記イ【００８６】には、「注意喚起表示の表示期間が終了…その後、図柄の変動が開始する。ここでは、当り遊技終了から図柄の変動開始前までの間が大当り終了インターバル期間であり…」と記載されているから、実施例２の表示態様１においても、初回のみの、当り遊技終了から図柄の変動開始前までの終了インターバル期間に、「○○モード突入」という演出表示が行われ、その後、球貸機に挿入されたプリペイドカードが排出される様子を示す動画と、プリペイドカードの絵と共に、「プリペイドカードの取り忘れにご注意ください！」との文字情報が表示される注意喚起表示が行われるといえる。
（ウ）また、表示態様２に関して、実施例１についての記載として、上記イ【００８７】には、「…「表示態様２」…これは…終了インターバル期間に実行される…２回目以降の大当りとして発生した場合には、「○○モード継続」の演出表示となる。」と記載され、上記イ【００８８】には、「…注意喚起表示は実行されず…」と記載されているから、実施例２の表示態様２においても、２回目以降の大当りとして発生した場合、「○○モード継続」の演出表示となり、注意喚起表示は実行されないといえる。
（エ）上記（ア）から（ウ）より、先願明細書等１には、実施例２において、球貸機に挿入されたプリペイドカードが排出される様子を示す動画と、プリペイドカードの絵と共に、「プリペイドカードの取り忘れにご注意ください！」との文字情報が表示される注意喚起表示を、大当り１又は大当り２の終了インターバル期間中に実行可能であり、初回のみ、「○○モード突入」という演出表示が行われ、前記注意喚起表示を行う表示態様１と、２回目以降の大当りとして発生した場合、「○○モード継続」の演出表示となり、注意喚起表示は実行されない表示態様２とを有していることが記載されているといえる。
サ
（ア）実施例１について、上記ウ【０１５８】には、「…副制御手段は、受信コマンド解析処理を行う。」と記載され、上記ウ【０１６５】には、「…副制御手段は、受信コマンドが大当り開始インターバルコマンドであるか否かを判定する（ステップＳ１６２）。」と記載され、上記ウ【０１６７】には、「ステップＳ１６２の判定が「ＹＥＳ」である場合…大当り開始時設定処理を行う（ステップＳ１６３）。」と記載されているから、実施例１において、副制御手段は、受信コマンドが大当り開始インターバルコマンドである場合、大当り開始時設定処理を行うといえる。
（イ）また、実施例１について、上記ウ【０１６８】には、「…受信信コマンド解析処理の中で行われる大当り開始時設定処理…」と記載され、上記ウ【０１６９】には、「…副制御手段は、大当り開始前の遊技状態を記憶する…」と記載され、上記ウ【０１７０】には、「…副制御手段は…抽選により当選した大当り種別を…記憶する。」と記載されているから、副制御手段は、大当り開始時設定処理において、抽選により当選した大当り種別及び大当り開始前の遊技状態を記憶するといえる。
（ウ）したがって、上記（ア）及び（イ）より、実施例１において、副制御手段は、受信コマンドが大当り開始インターバルコマンドである場合、抽選により当選した大当り種別及び大当り開始前の遊技状態を記憶する。
　そして、実施例２については、副制御手段の大当り開始時設定処理に関して特段の記載がないので、実施例２においても、副制御手段は、受信コマンドが大当り開始インターバルコマンドである場合、抽選により当選した大当り種別及び大当り開始前の遊技状態を記憶するといえる。
シ
（ア）実施例１について、上記ウ【０１５８】には、「…副制御手段は、受信コマンド解析処理を行う。」と記載され、上記ウ【０１７２】には、「…副制御手段は、受信コマンドが大当り終了インターバルコマンドであるか否か判定する（ステップＳ１６４）。」と記載され、上記ウ【０１７４】には、「ステップＳ１６４の判定が「ＹＥＳ」である場合…大当り終了時設定処理を行う（ステップＳ１６５）。」と記載されているから、副制御手段は、受信コマンドが大当り終了インターバルコマンドである場合、大当り終了時設定処理を行うといえる。
　そして、実施例２については、副制御手段の受信コマンド解析処理に関して特段の記載がないので、実施例２においても、副制御手段は、受信コマンドが大当り終了インターバルコマンドである場合、大当り終了時設定処理を行うといえる。
（イ）実施例２の大当り終了時設定処理に関して、上記エ【０２０１】には、「実施例２の…大当り終了時設定処理…」と記載され、上記エ【０２０２】には、「…副制御手段は…大当り種別が大当り１又は大当り２である場合には…ステップＳ２０２に進む。」と記載され、上記エ【０２０３】には、「副制御手段は、大当り発生時は開放延長中であったか否かを判定する（ステップＳ２０２）。」と記載され、上記エ【０２０４】には、「大当り発生時、開放延長中であった場合には…大当り１又は大当り２が２回目以降の当りとして発生した…この場合…ステップＳ２０４に進む。…開放延長中でなかった場合には…初めて大当り１又は大当り２に当選した…この場合…ステップＳ２０３に進む。」と記載され、上記エ【０２０５】には、「…副制御手段は…前回の大当りが大当り３である場合には…ステップＳ２０３に進む。」と記載され、上記エ【０２０６】には、「…大当り１に連続して当選したような場合には…ステップＳ２０５に進む。」と記載されている。
　これらの記載を考慮しつつ、上記カ【図２１】の大当り終了時設定処理のフローチャートを参照すれば、実施例２の大当り終了時設定処理において、副制御手段は、大当り種別及び大当り発生時は開放延長中であったか否かを判定することにより、初めて大当り１又は大当り２に当選した場合、ステップＳ２０３に進み、開放延長中に大当り１又は大当り２が２回目以降の当りとして発生した場合、ステップＳ２０５に進むといえる。
（ウ）また、上記エ【０２０７】には、「…副制御手段は、終了表示を設定する（ステップＳ２０３）。…表示態様１が選択される。」と記載され、上記【０２０８】には、「…副制御手段は、終了表示を設定する（ステップＳ２０５）。…表示態様２が選択される。」と記載されているから、上記（イ）より、実施例２の大当り終了時設定処理において、副制御手段は、大当り種別及び大当り発生時は開放延長中であったか否かを判定することにより、初めて大当り１又は大当り２に当選した場合には、表示態様１を選択し、開放延長中に大当り１又は大当り２が２回目以降の当りとして発生した場合には、表示態様２を選択するといえる。
（エ）ここで、上記ウ【０１６９】には、「遊技状態には、通常遊技状態、確変遊技状態（潜伏確変を含む）、時短遊技状態がある…」と記載され、上記エ【０２０３】には、「普通電動役物の開放延長が行われるのは、潜伏確変を除く確変遊技状態と時短遊技状態の場合である。」と記載され、上記エ【０２１０】には、「注意喚起表示を行うか否かの条件…実施例２では、その条件を大当り種別と大当り発生時の遊技状態（開放延長中か否か）とした。」と記載されているから、上記シ（エ）より、表示態様１では注意喚起表示を行い、表示態様２では注意喚起表示は実行されないことを勘案すれば、上記（ウ）より、実施例２の大当り終了時設定処理において、副制御手段は、初めて大当り１又は大当り２に当選し、表示態様１を選択する場合と、開放延長中に大当り１又は大当り２が２回目以降の当りとして発生し、表示態様２を選択する場合とを、大当り種別及び大当り発生時の遊技状態を条件として判定するといえる。
（オ）また、上記エ【０２００】には、「…遊技者がしばらくの間、遊技球を借りることがなくなる大当り１、２…」と記載されているから、上記（エ）、シ（エ）及びス（ウ）より、先願明細書等１に記載の実施例２において、初めて大当り１又は大当り２に当選した初回のみ、「○○モード突入」という演出表示が行われ、前記注意喚起表示を行う表示態様１を選択する場合と、遊技者がしばらくの間、遊技球を借りることがなくなる大当り１又は大当り２が開放延長中に２回目以降の当りとして発生し、「○○モード継続」の演出表示となり、注意喚起表示は実行されない表示態様２を選択する場合とが、副制御手段により、受信コマンドが大当り開始インターバルコマンドである場合に、抽選により当選した大当り種別及び大当り開始前の遊技状態が記憶され、受信コマンドが大当り終了インターバルコマンドである場合に、大当り種別及び大当り発生時の遊技状態を条件として判定されるといえる。
　上記記載事項アからカ、及び上記認定事項キからシを総合すると、先願明細書等１には、
「ａ　特別図柄の抽選に当選し大当りとなり、抽選により当選した大当り種別が大当り１又は大当り２であるとき、大入賞装置３９ａ、３９ｂが多くの賞球を獲得することが可能となるように所定時間開放される、大当り１又は大当り２の大当り遊技を付与する主制御基板２４と、　（記載事項ウ【００９４】、認定事項キ、ク（オ））
ｂ　遊技に応じて各種演出を表示する液晶表示装置３６の表示制御を行う演出制御基板２５及び液晶制御基板２６と、　（認定事項キ、ケ）
　　を備え、　（認定事項キ）
ｃ　球貸機に挿入されたプリペイドカードが排出される様子を示す動画と、プリペイドカードの絵と共に、「プリペイドカードの取り忘れにご注意ください！」との文字情報が表示される注意喚起表示を、大当り１又は大当り２の終了インターバル期間中に実行可能であり、　（認定事項コ（エ））
ｄ　初めて大当り１又は大当り２に当選した初回のみ、「○○モード突入」という演出表示が行われ、前記注意喚起表示を行う表示態様１と、遊技者がしばらくの間、遊技球を借りることがなくなる大当り１又は大当り２が開放延長中に２回目以降の当りとして発生し、「○○モード継続」の演出表示となり、注意喚起表示は実行されない表示態様２とを有し、　（認定事項コ（エ）、シ（オ））
ｅ　初めて大当り１又は大当り２に当選した初回のみ、「○○モード突入」という演出表示が行われ、前記注意喚起表示を行う表示態様１を選択する場合と、遊技者がしばらくの間、遊技球を借りることがなくなる大当り１又は大当り２が開放延長中に２回目以降の当りとして発生し、「○○モード継続」の演出表示となり、注意喚起表示は実行されない表示態様２を選択する場合とが、演出制御基板２５により、受信コマンドが大当り開始インターバルコマンドである場合に、抽選により当選した大当り種別及び大当り開始前の遊技状態が記憶され、受信コマンドが大当り終了インターバルコマンドである場合に、大当り種別及び大当り発生時の遊技状態を条件として判定される　（記載事項ウ【０１５２】、認定事項シ（オ））
ｆ　パチンコ遊技機１。　（記載事項ア【００２２】）」
の発明（以下「先願発明１」という。）が記載されていると認められる（なお、ａからｆは、本件補正発明のＡからＦに対応させて当審で付与した。）。
（４）対比・判断
　本件補正発明と先願発明１とを対比する（なお、本件補正発明の構成ＡからＦに対応して、当審で見出し（Ａ）から（Ｆ）を付した。）。
（Ａ）先願発明１における「特別図柄の抽選」が遊技の進行過程において行われることは明らかである。
　そして、先願発明１における「特別図柄の抽選に当選し大当りとなり、抽選により当選した大当り種別が大当り１又は大当り２である」ことは、本件補正発明における「遊技進行過程において所定の特別遊技条件が成立する」ことに相当する。
　また、先願発明１における「大入賞装置３９ａ、３９ｂが多くの賞球を獲得することが可能となるように所定時間開放される、大当り１又は大当り２の大当り遊技」は、本件補正発明における「可変入賞口を遊技者にとって有利な状態とする特別遊技」に相当する。
　したがって、先願発明１の構成ａは、本件補正発明の構成Ａに相当する。
（Ｂ）先願発明１において、「遊技に応じて」いることは、本件補正発明において、「遊技進行に合わせて」いることに相当するから、各種演出を表示する液晶表示装置３６の表示制御を行う演出制御基板２５及び液晶制御基板２６」は、本件補正発明における「遊技進行に合わせて所定の遊技演出を行う遊技演出実行手段」に相当する。
　したがって、先願発明１の構成ｂは、本件補正発明の構成Ｂに相当する。
（Ｃ）先願発明１における「球貸機に挿入されたプリペイドカードが排出される様子を示す動画と、プリペイドカードの絵と共に、「プリペイドカードの取り忘れにご注意ください！」との文字情報が表示される注意喚起表示」は、本件補正発明における「取り忘れ防止用の演出」に相当する。
　そして、先願発明１における「終了インターバル期間」は、注意喚起表示（取り忘れ防止用の演出）を実行可能であるから、本件補正発明における「終了デモ期間」に相当する。
　したがって、先願発明１の構成ｃは、本件補正発明の構成Ｃに相当する。
（Ｄ）先願発明１において、「初めて大当り１又は大当り２に当選した初回のみ、「○○モード突入」という演出表示が行われ、前記注意喚起表示を行う表示態様１」は、本件補正発明において、「初当りであることを示す遊技演出を行い前記取り忘れ防止演出を発生させる場合」に相当する。
　また、先願発明１において、「遊技者がしばらくの間、遊技球を借りることがなくなる大当り１又は大当り２が開放延長中に２回目以降の当りとして発生し、「○○モード継続」の演出表示となり、注意喚起表示は実行されない表示態様２」は、本件補正発明において、「持ち球遊技を継続できることを示す遊技演出を行い前記取り忘れ防止演出を発生させない場合」に相当する。
　したがって、先願発明１の構成ｄは、本件補正発明の構成Ｄに相当する。
（Ｅ）先願発明１における「大当り開始インターバルコマンド」及び「大当り終了インターバルコマンド」は、本件補正発明における「一組の制御コマンド」に相当する。
　そして、先願発明１においては、「受信コマンドが大当り開始インターバルコマンドである場合に、抽選により当選した大当り種別及び大当り開始前の遊技状態が記憶され」て、当該記憶された「大当り種別及び大当り発生時の遊技状態を条件として」、「受信コマンドが大当り終了インターバルコマンドである」ことを契機に「判定される」。
　してみると、先願発明１においては、「大当り種別及び大当り開始前の遊技状態が記憶され」るための「大当り開始インターバルコマンド」と、当該記憶された「大当り種別及び大当り発生時の遊技状態を条件として」「判定」を開始するための「大当り終了インターバルコマンド」との両方（「一組の制御コマンド」）を受信することによって、「判定」が可能になっているといえる。
　したがって、先願発明１の構成ｅは、本件補正発明の構成Ｅに相当する。
（Ｆ）先願発明１の構成ｆにおける「パチンコ遊技機１」は、本件補正発明における「遊技機」に相当するから、先願発明１の構成ｆは、本件補正発明の構成Ｆに相当する。
　以上より、本件補正発明と先願発明１とは、全ての点で一致し、相違するところはない。
　したがって、本件補正発明と先願発明１とは同一である。
（５）審判請求人の主張について
　審判請求人は、平成２９年１０月２７日提出の審判請求書の「５．補正の却下の決定にてご指摘頂いた点（特許法第２９条の２）について」において、概ね以下のとおり主張している。
　「…本願発明…は…主引用発明｛引用文献１（特願２０１２−１４５８６４号（特開２０１４−８１４５号））に係る発明｝と比較し、＜相違点＞「前記初当りであることを示す遊技演出を行い前記取り忘れ防止演出を発生させる場合と、前記持ち球遊技を継続できることを示す遊技演出を行い前記取り忘れ防止演出を発生させない場合とが、一組の制御コマンドにより判断可能になっている」との点、で少なくとも相違する。」
　「…本願発明では、＜相違点＞となる構成を採用することで、「特別遊技実行手段」（本願実施例中での主制御基板７０）から「遊技演出実行手段」（本願実施例中でのサブ制御基板９０）に対して、「初当りであることを示す遊技演出を行い取り忘れ防止演出を発生させる」べきか「持ち球遊技を継続できることを示す遊技演出を行い取り忘れ防止演出を発生させない」べきかを、一組の制御コマンドで指示するのみで切り分けることができる。これにより、「遊技演出実行手段」（本願実施例中でのサブ制御基板９０）側では、このような切り分けを行うための特別な処理を行う必要がなくなり、「特別遊技実行手段」（本願実施例中での主制御基板７０）という遊技進行を制御する側での決定・指示に基づき従属的に動作すれば良くなるので、「遊技演出実行手段」（本願実施例中でのサブ制御基板９０）側の開発難易度を下げることができるという効果を奏する。」
　「主引用発明である引用文献１に係る発明は…表示態様１…とすべきか、表示態様２…とすべきかを、副制御手段側…で切り分けるための特別な処理…を行っている。これは、本願発明のように、「一組の制御コマンド」…に基づいて、このような切り分けができないためであり、その証拠に引用文献１の段落００７４乃至００７８（図５）に記載されているように、このような切り分けの対象となる大当り種別の大当り終了インターバルに関する制御コマンドが同一となっている。また、この点については、引用文献１の段落０１９２乃至０２０９（図２０乃至２１）に記載されている変形例においても同様である。」
　上記主張については、本件補正後の特許請求の範囲の請求項１には上記（１）に記載したとおり、「前記初当りであることを示す遊技演出を行い前記取り忘れ防止演出を発生させる場合と、前記持ち球遊技を継続できることを示す遊技演出を行い前記取り忘れ防止演出を発生させない場合とが、一組の制御コマンドにより判断可能になっている」と記載されるのみであり、制御コマンドが何から何に対して指示する制御コマンドであるかまで記載されていない。また、「遊技演出実行手段」側では、切り分けを行うための特別な処理を行う必要がなくなり、「特別遊技実行手段」という遊技進行を制御する側での決定・指示に基づき従属的に動作すれば良くなることも記載されていない。
　そして、上記（４）における本件補正発明と先願発明１との一致点のとおり、先願発明１の構成ｅにおける「大当り開始インターバルコマンド」及び「大当り終了インターバルコマンド」は、本件補正発明の「一組の制御コマンド」に相当し、先願発明１の構成ｅにおいて、「演出制御基板２５により、受信コマンドが大当り開始インターバルコマンドである場合に、抽選により当選した大当り種別及び大当り開始前の遊技状態が記憶され、受信コマンドが大当り終了インターバルコマンドである場合に、大当り種別及び大当り発生時の遊技状態を条件として判定される」ことは、本件補正発明の「一組の制御コマンドにより判断可能になっている」ことに相当している。
　したがって、審判請求人の主張は請求項の記載に基づくものではなく、採用できない。
（６）小括
　以上のとおり、本件補正発明は、先願発明１と同一の発明であり、しかも、本件補正発明の発明者が先願発明１の発明者と同一であるとはいえず、また、本願の原出願の出願日において、本願の出願人が先願１の出願人と同一であるともいえないので、特許法第２９条の２の規定により特許出願の際独立して特許を受けることができないものである。
４　本件補正についてのむすび
　本件補正は、上記２（２）のとおり、特許法第１７条の２第５項の規定に違反するので、同法第１５９条第１項において読み替えて準用する同法第５３条第１項の規定により却下すべきものである。
　また、仮に本件補正が特許法第１７条の２第５項の規定に違反しないものだとしても、本件補正発明は、上記３（２）及び上記３（６）のとおり、特許出願の際独立して特許を受けることができないものであるから、本件補正は、特許法第１７条の２第６項において準用する同法第１２６条第７項の規定に違反するので、同法第１５９条第１項において読み替えて準用する同法第５３条第１項の規定により却下すべきものである。
第３　本願発明について
　本件補正は上記第２のとおり却下されたので、本願の請求項１に係る発明（以下「本願発明」という。）は、平成２８年８月５日提出の手続補正書により補正された特許請求の範囲の請求項１に記載された事項により特定される、以下のとおりのものである（当審にて、分説のための記号を付した。）。
「　　【請求項１】
Ａ　遊技進行過程において所定の特別遊技条件が成立すると、可変入賞口を遊技者にとって有利な状態とする特別遊技を行う特別遊技実行手段と、
Ｂ　遊技進行に合わせて所定の遊技演出を行う遊技演出実行手段と、
　　を備え、
Ｃ’記録媒体の取り忘れ防止用の演出を、前記特別遊技の終了デモ期間中に行う
Ｆ　ことを特徴とする遊技機。」
第４　原査定における拒絶の理由
　原査定の拒絶の理由の概要は、以下のとおりである。
１．（新規性）この出願の平成２８年８月５日提出の手続補正書により補正された請求項１に係る発明は、原出願の出願前に日本国内又は外国において、頒布された下記の引用文献１に記載された発明であるから、特許法第２９条第１項第３号に該当し、特許を受けることができない。
２．（進歩性）この出願の平成２８年８月５日提出の手続補正書により補正された請求項１に係る発明は、原出願の出願前に日本国内又は外国において頒布された下記の引用文献１に記載された発明に基いて、原出願の出願前にその発明の属する技術の分野における通常の知識を有する者が容易に発明をすることができたものであるから、特許法第２９条第２項の規定により特許を受けることができない。
３．（拡大先願）この出願の平成２８年８月５日提出の手続補正書により補正された請求項１に係る発明は、原出願の出願の日前の特許出願であって、原出願の出願後に特許掲載公報の発行又は出願公開がされた下記の先願２の願書に最初に添付された明細書、特許請求の範囲又は図面に記載された発明と同一であり、しかも、この出願の発明者が先願２に係る上記の発明をした者と同一ではなく、また原出願の出願の時において、この出願の出願人が先願２の出願人と同一でもないので、特許法第２９条の２の規定により、特許を受けることができない。
　　　　　　　　　　　　　　　　記
理由１（新規性）、理由２（進歩性）について
　引用文献１の段落００５４〜００５９、図１４、図２０（ｂ）には、大当たり終了演出処理において、カードの排出を報知する画像（図２０（ｂ））を画面６ａに出力することが記載されており、これが補正後の請求項１に係る発明における「記録媒体の取り忘れ防止用の演出を、前記特定遊技の終了デモ期間中に行うこと」に相当する。
理由３（進歩性）について
　補正後の請求項１に係る発明は、先願２の段落００２９、図９等に記載されている。
引用文献１　特開２０１１−４５４０２号公報
先願２　　　特願２０１２−１５９８０２号（特開２０１４−１８４２６号）
理由１（新規性）、理由２（進歩性）について
　引用文献１の段落００５４〜００５９、図１４、図２０（ｂ）には、大当たり終了演出処理において、カードの排出を報知する画像（図２０（ｂ））を画面６ａに出力することが記載されており、これが補正後の請求項１に係る発明における「記録媒体の取り忘れ防止用の演出を、前記特定遊技の終了デモ期間中に行うこと」に相当する。
理由３（進歩性）について
　補正後の請求項１に係る発明は、先願２の段落００２９、図９等に記載されている。
第５　原査定の理由２（進歩性）について
１　引用発明１
　原査定の理由に用いられた、原出願の出願前に日本国内又は外国において頒布された刊行物である特開２０１１−４５４０２号公報（以下「引用文献１」という。）には、以下の事項が図面とともに記載されている（下線は当審にて付与した。）。
（記載事項）
ア
「【特許請求の範囲】
【請求項１】
遊技域に始動口を備え、該
始動口に入球すると乱数値を発生させ、該乱数値により当否を判定し、当たりと判定した場合には、遊技者に有利な大当り遊技状態を発生させる遊技機
　当該
遊技機にて使用される遊技球の貸出料となる代金が記録されたカード
　該カードユニットから前記カードを排出する際に操作するための排出指示手段と、
　該カードユニットに前記カードが挿入されているか否かを判定するカード有無判定手段と、
　
当該遊技機が前記大当たり遊技状態にある場合に
報知動作を行なう
　を備えたことを特徴とする遊技機。
・・・略・・・
【請求項３】
前記大当たり状態は
大入賞口を入球可能な状態にすることにより
遊技者が賞球を容易に得られる状態であり
　前記排出報知手段が前記報知動作を行なう際には、前記賞球の遊技者への払出を中断させる賞球停止手段
　を備えたことを特徴とする請求項１または２に記載の遊技機。」
イ
「【００１４】
　以下に
本発明の好適な実施形態
［実施例１］
【００１５】
  図１に示すように、弾球遊技機の一種である
パチンコ機５０
　外枠５１の左側上下には、ヒンジ５３が設けられており、該ヒンジ５３の他方側には図３に記載する内枠７０が取り付けられており、内枠７０は外枠５１に対して開閉可能な構成になっている。
・・・略・・・
【００２１】
　図３に示すように、パチンコ機５０の裏側は、前述した遊技盤１を脱着可能に取り付ける内枠７０が前述した外枠５１に収納されている。この内枠７０には、上方から、球タンク７１、タンクレール７２及び払出装置７３が設けられている。この構成により、遊技盤１上の入賞口に遊技球の入賞があれば球タンク７１からタンクレール７２を介して所定個数の遊技球を払出装置７３により前述した上皿５５に排出することができる。
　また、
パチンコ機５０の裏側には
主制御装置８０
演出図柄制御装置８２、サブ統合制御装置８３
が設けられている。
・・・略・・・
【００２５】
　
主制御装置８０は
遊技の進行に関わる各種のコマンドを生成して
サブ統合制御装置８３に出力する。
　また主制御装置８０は、図柄表示装置中継端子板９０を介して接続されている特別図柄表示装置９及び普通図柄表示装置７の表示、特別図柄保留記憶表示装置１０及び普通図柄保留記憶表示装置８の点灯を制御する。
　更に、
主制御装置８０は
大入賞口１４の開閉を制御し
　主制御装置８０からの出力信号は、上記のほかにも試験信号端子や、図柄変動や大当たり等の管理用の信号が外部接続端子板７８に出力されてホールメインコンピュータに送られる。
・・・略・・・
【００２９】
　
サブ統合制御装置８３は、主制御装置８０から送信されてくるデータ及びコマンドを受信し、それらを演出表示制御用
のデータに振り分けて、演出表示制御用のコマンド等は演出図柄制御装置８２に送信し
　また、サブ統合制御装置８３には、演出ボタン６７が接続されており、遊技者が演出ボタン６７を操作した際には、その信号がサブ統合制御装置８３に入力される。
【００３０】
　サブ統合制御装置８３と演出図柄制御装置８２とは双方向通信が可能である。
　
演出図柄制御装置８２は、サブ統合制御装置８３から受信したデータ及びコマンド
に基づいて
演出画像を画面６ａに表示させる。
ウ
「【００４２】
　図９〜１０に、
主制御装置８０のＣＰＵにより実行される特別遊技処理
【００４３】
　Ｓ３０５において、
大入賞口１４が開放中ではない
場合
【００４４】
　Ｓ３１０で
インターバル中である
場合
大当たりインターバル時間が
経過した場合
最終ラウンドであれば
大当たり終了演出処理を行なって
・・・略・・・
【００４６】
　つまり
この特別遊技処理によれば
特別遊技中に行なわれる処理
を行なっている。
の各処理内が、本発明に係る内容
・・・略・・・
【００５０】
　図１２に戻る。続くＳ５２５にて現在が１０ラウンド目か否かを判定し、１０ラウンド目であれば（Ｓ５２５：ｙｅｓ）、球貸し禁止信号を払出制御装置８１に送信する処理を実行し（Ｓ５３０）、
大入賞口開放処理を実行して
大入賞口開放処理を実行して
・・・略・・・
【００５４】
　図１４に、Ｓ３６０の大当たり終了演出処理のフローチャートを示す。本処理が起動されると、Ｓ６００にてカードフラグが１か否かを判定する。カードフラグが１であれば（Ｓ６００：ｙｅｓ）、Ｓ６０５にてカード排出要求信号１を払出制御装置８１に送信する処理を行い、
Ｓ６１０にてカード排出を報知する信号をサブ制御装置８３に送信する処理を行い、Ｓ６１５にて大当たり終了演出開始処理を実行して
【００５５】
　つまり
大当たり終了演出処理によれば、カードフラグが１
の場合に
カード排出を報知する要求をサブ制御装置８３に送信する処理
【００５６】
　
図１５に、サブ制御装置８３のＣＰＵにより実行されるカード排出報知処理のフローチャート
・・・略・・・
【００５８】
　排出要求報知信号を受信していない場合（Ｓ６７０：ｎｏ）は、Ｓ６８０に移行し、カード排出報知信号を受信したか否かを判定する。
カード排出報知信号とは
大当たり終了演出処理のＳ６１０で主制御装置８０から送信される信号
カード排出報知信号を受信した場合
は、排出報知処理を実行（Ｓ６８５）して
排出報知処理では、図２０（ｂ）に示すような画像が画面６ａに出力される。
【００５９】
　つまりカード排出報知処理によれば、主制御装置８０からの信号に基づいて、
カードの排出を報知する画像（図２０（ｂ））
エ　「【図９】
」
オ　「【図１５】
」
カ　「【図２０】
・・・略・・・
」
（認定事項）
キ
　上記イ【００２１】には、「パチンコ機５０の裏側には…主制御装置８０…演出図柄制御装置８２、サブ統合制御装置８３…が設けられている。」と記載されているから、パチンコ機５０は、主制御装置８０と、演出図柄制御装置８２及びサブ統合制御基板８３と、を備えているといえる。
ク
（ア）上記ア【請求項１】には、「…始動口に入球すると乱数値を発生させ、該乱数値により当否を判定し、当たりと判定した場合には、遊技者に有利な大当り遊技状態を発生させる遊技機…」と記載され、上記イ【００１４】には、「…本発明の好適な実施形態…［実施例１］…」と記載され、上記イ【００１５】には、「…パチンコ機５０…」と記載されているので、【特許請求の範囲】に記載の遊技機の実施形態である実施例１のパチンコ機５０は、始動口に入球すると乱数値を発生させ、該乱数値により当否を判定し、当たりと判定した場合には、遊技者に有利な大当り遊技状態を発生させるといえる。
（イ）
　ここで、上記ア【請求項１】には、「当該遊技機が前記大当たり遊技状態にある場合に…報知動作を行なう…」と記載され、上記ウ【００４６】には、「…特別遊技中に行なわれる処理…の各処理内が、本発明に係る内容…」と記載されているので、実施例１における「特別遊技」が、【特許請求の範囲】における「大当たり遊技状態」に対応するといえる。
　そして、上記ア【請求項３】に、「前記大当たり状態は…大入賞口を入球可能な状態にすることにより…遊技者が賞球を容易に得られる状態であり」と記載されていることに照らして、上記ウ【００４２】に記載の「…特別遊技処理…」において、「…大入賞口開放処理を実行して…」いる（上記ウ【００５０】）ことを考慮すれば、上記（ア）より、実施例１のパチンコ機５０は、始動口に入球すると乱数値を発生させ、該乱数値により当否を判定し、当たりと判定した場合には、大入賞口を入球可能な状態にすることにより、遊技者が賞球を容易に得られる状態である特別遊技を発生させるといえる。
（ウ）また、上記イ【００２５】には、「主制御装置８０は…大入賞口１４の開閉を制御し」と記載されているので、上記（イ）において「大入賞口を入球可能な状態にする」のは、「大入賞口１４の開閉を制御し」ている「主制御装置８０」であるといえる。
（エ）したがって、上記（イ）及び（ウ）より、引用文献１には、パチンコ機５０において、始動口に入球すると乱数値を発生させ、該乱数値により当否を判定し、当たりと判定した場合には、主制御基板８０が大入賞口１４を入球可能な状態にすることにより、遊技者が賞球を容易に得られる特別遊技を発生させることが記載されているといえる。
ケ
（ア）上記ウ【００４２】には、「主制御装置８０のＣＰＵにより実行される特別遊技処理…」と記載され、上記ウ【００４３】−【００４４】には、「…大入賞口１４が開放中ではない…場合…」、「…インターバル中である…場合…大当たりインターバル時間が…経過した場合…最終ラウンドであれば…大当たり終了演出処理を行なって…」と記載され、上記ウ【００４６】には、「…この特別遊技処理によれば…特別遊技中に行われる処理…を行っている。」と記載されているから、主制御装置８０は、大入賞口１４が開放中ではなく特別遊技の最終ラウンドの大当たりインターバル時間が経過した場合、大当たり終了演出処理を行うといえる。
（イ）そして、上記ウ【００５４】には、「Ｓ６１０にてカード排出を報知する信号をサブ制御装置８３に送信する処理を行い、Ｓ６１５にて大当たり終了演出開始処理を実行して」と記載され、上記ウ【００５５】には、「…大当たり終了演出処理によれば…、カードフラグが１（ＣＲユニットにカードが挿入されている状態）の場合に…カード排出を報知する要求をサブ制御装置８３に送信する処理…」と記載されていることに照らして、上記エ【図９】を参照すれば、ＣＲユニットにカードが挿入されている状態の場合に、大当たり終了演出処理において、Ｓ６１０にてカード排出を報知する信号をサブ制御装置８３に送信する処理が実行されるといえる。
（ウ）また、上記ウ【００５６】には、「図１５に、サブ制御装置８３のＣＰＵにより実行されるカード排出報知処理のフローチャート…」と記載され、上記オ【図１５】から、「カード排出報知処理は、Ｓ６８５の排出報知処理を有している」ことが把握されるので、サブ制御装置８３が、排出報知処理を実行するといえる。
　そして、排出報知処理について、上記ウ【００５８】には、「…カード排出報知信号とは…大当たり終了演出処理のＳ６１０で主制御装置８０から送信される信号…カード排出報知信号を受信した場合…は、排出報知処理を実行（Ｓ６８５）して…」と記載されているから、サブ制御装置８３は、大当たり終了演出処理のＳ６１０で主制御装置８０から送信されるカード排出報知信号を受信した場合、排出報知処理を実行するといえる。
　さらに、排出報知処理について、上記ウ【００５８】 には、「排出報知処理では、図２０（ｂ）に示すような画像が画面６ａに出力される。」と記載され、上記ウ【００５９】には、「カードの排出を報知する画像（図２０（ｂ））」と記載され、上記カ【図２０】（ｂ）から、「山、雲及びキャラクターの画像並びに「ＦＩＮ」の文字が表示されるとともに、「カードを排出します。取り忘れ注意！」と表示される」ことが把握されるから、サブ制御装置８３は、大当たり終了演出処理のＳ６１０において主制御装置８０から送信されるカード排出報知信号を受信した場合、山、雲及びキャラクターの画像並びに「ＦＩＮ」の文字が表示されるとともに、「カードを排出します。取り忘れ注意！」と表示される、カードの排出を報知する画像を画面６ａに出力するといえる。
（エ）上記（ア）から（ウ）より、ＣＲユニットにカードが挿入されている状態の場合に、大入賞口１４が開放中ではなく特別遊技の最終ラウンドのインターバル時間が経過した場合、山、雲及びキャラクターの画像並びに「ＦＩＮ」の文字が表示されるとともに、「カードを排出します。取り忘れ注意！」と表示される、カードの排出を報知する画像を画面６ａに出力するといえる。
（オ）ここで、上記（エ）における「カード」は、上記ア【請求項１】によれば、「遊技機にて使用される遊技球の貸出料となる代金が記録されたカード」である。
　上記記載事項アからカ、及び認定事項キからケを総合すると、引用文献１には、
「ａ１　始動口に入球すると乱数値を発生させ、該乱数値により当否を判定し、当たりと判定した場合には、大入賞口１４を入球可能な状態にすることにより、遊技者が賞球を容易に得られる特別遊技を発生させる主制御基板８０と、（認定事項キ、ク（エ））
ｂ１　主制御装置８０から送信されてくるデータ及び主制御装置８０が生成し出力する遊技の進行に関わるコマンドを受信し、それらを演出表示制御用のデータに振り分けて、演出表示制御用のコマンドを演出図柄制御装置８２に送信するサブ統合制御装置８３、及びサブ統合制御装置８３から受信したデータ及びコマンドに基づいて、演出画像を画面６ａに表示させる演出図柄制御装置８２と、　（記載事項イ【００２５】、【００２９】、【００３０】、認定事項キ）
　を備え、　（認定事項キ）
ｃ１　ＣＲユニットに遊技機にて使用される遊技球の貸出料となる代金が記録されたカードが挿入されている状態の場合に、大入賞口１４が開放中ではなく特別遊技の最終ラウンドのインターバル時間が経過した場合、山、雲及びキャラクターの画像並びに「ＦＩＮ」の文字が表示されるとともに、「カードを排出します。取り忘れ注意！」と表示される、カードの排出を報知する画像を画面６ａに出力する　（認定事項ケ（エ）（オ））
ｆ１　パチンコ機５０。　（記載事項イ【００１５】）」
の発明（以下「引用発明１」という。）が記載されていると認められる（なお、ａ１からｆ１は、本願発明のＡからＦに対応させて当審で付与した。）。
２　対比
　本願発明と引用発明１とを対比する（なお、本願発明の構成Ａ、Ｂ、Ｃ’及びＦに対応して、見出し（Ａ）、（Ｂ）、（Ｃ’）及び（Ｆ）を付した。）。
（Ａ）引用発明１において、「始動口に入球する」のが、遊技の進行過程においてであることは自明であるから、引用発明１における「始動口に入球すると乱数値を発生させ、該乱数値により当否を判定し、当たりと判定した」ことは、本願発明における「遊技進行過程において所定の特別遊技条件が成立する」ことに相当する。
　そして、引用発明１における「大入賞口１４を入球可能な状態にすることにより、遊技者が賞球を容易に得られる特別遊技」は、本願発明における「可変入賞口を遊技者にとって有利な状態とする特別遊技」に相当するから、引用発明１における「主制御基板８０」は、本願発明における「特別遊技実行手段」に相当する。
　したがって、引用発明１の構成ａ１は、本願発明の構成Ａに相当する。
（Ｂ）引用発明１において、「演出画像を画面６ａに表示させる」ことは、本願発明において、「所定の遊技演出を行う」ことに相当する。
　また、引用発明１における「主制御装置８０が生成し出力する遊技の進行に関わるコマンド」は、「遊技の進行に関わる」ので、遊技の進行の過程において生成され出力されるものであることは明らかである。
　そうすると、「サブ統合制御装置８３」及び「演出図柄制御装置８２」はそれぞれ、遊技の進行の過程において生成され出力される「コマンドを受信し、それらを演出表示制御用のデータに振り分けて、演出表示制御用のコマンドを演出図柄制御装置８２に送信」し、「受信したデータ及びコマンドに基づいて、演出画像を画面６ａに表示させる」ので、引用発明１の「主制御装置８０から送信されてくるデータ及び主制御装置８０が生成し出力する遊技の進行に関わるコマンドを受信し、それらを演出表示制御用のデータに振り分けて、演出表示制御用のコマンドを演出図柄制御装置８２に送信するサブ統合制御装置８３、及びサブ統合制御装置８３から受信したデータ及びコマンドに基づいて、演出画像を画面６ａに表示させる演出図柄制御装置８２」と、本願発明の「遊技進行に合わせて所定の遊技演出を行う遊技演出実行手段」とは、「遊技進行」において、「所定の遊技演出を行う遊技演出実行手段」である点で本願発明と共通する。
（Ｃ’）引用発明１における「遊技機にて使用される遊技球の貸出料となる代金が記録されたカード」は、本願発明における「記録媒体」に相当する。
　そして、引用発明１において、「「カードを排出します。取り忘れ注意！」と表示される」ことは、「記録媒体の取り忘れ防止用の演出を」、「行う」ことに相当する。
　また、引用発明１において、「大入賞口１４が開放中ではなく特別遊技の最終ラウンドのインターバル時間が経過した場合」は、最終ラウンド後であるから、引用発明１における「山、雲及びキャラクターの画像並びに「ＦＩＮ」の文字が表示される」ことは、「ＦＩＮ」が「終了」を意味することも勘案すれば、「特別遊技の終了デモ」に相当する。
　そうすると、引用発明１における「山、雲及びキャラクターの画像並びに「ＦＩＮ」の文字が表示されるとともに、「カードを排出します。取り忘れ注意！」と表示される、カードの排出を報知する画像を画面６ａに出力する」ことは、「山、雲及びキャラクターの画像並びに「ＦＩＮ」の文字が表示される」のと同時に、「カードを排出します。取り忘れ注意！」と表示されているので、本願発明における「記録媒体の取り忘れ防止用の演出を、前記特別遊技の終了デモ期間中に行う」ことに相当する。
　したがって、引用発明１の構成ｃ１は、本願発明の構成Ｃ’に相当する。
（Ｆ）引用発明１における「パチンコ機５０」は、本願発明における「遊技機」に相当するから、引用発明１の構成ｆ１は、本願発明の構成Ｆに相当する。
　したがって、本願発明と引用発明１とは、
「
Ａ　遊技進行過程において所定の特別遊技条件が成立すると、可変入賞口を
　遊技者にとって有利な状態とする特別遊技を行う特別遊技実行手段と、
Ｂ’遊技進行において所定の遊技演出を行う遊技演出実行手段と、
　　を備え、
Ｃ’記録媒体の取り忘れ防止用の演出を、前記特別遊技の終了デモ期間中に
　行う
Ｆ　ことを特徴とする遊技機。」
である点で一致し、以下の点で相違する。
［相違点１］
　遊技演出実行手段が行う所定の遊技演出について、本願発明では、「遊技進行に合わせて」「行う」のに対し、引用発明１では、そのように特定されていない点。
３　当審の判断
（１）相違点１について
　遊技機に関する技術分野では、遊技進行に合わせて所定の遊技演出を行うことは、原出願の出願時において、ごく当たり前に実施される周知慣用の技術である（例えば、特開２０１２−１１５３９７号公報の【請求項１】には、「遊技の進行に伴って各種演出を制御する」ことが記載され、【０００２】には、「従来、パチンコ機に代表される遊技機では…遊技の進行に応じて各種演出が行われる。」と記載されている。また、特開２０１２−１４８０００号公報の【請求項１】には、「遊技の進行に応じて前記演出ユニットに実行させる演出を制御する」という記載がある。さらに、特開２０１２−７５７１０号公報の【００９４】には、「遊技の進行に伴って実行される各種演出を制御する」ことが記載されている。以下「周知技術１」という。）。
　したがって、引用発明１における「演出画像を画面６ａに表示させる」演出について、上記周知技術１を採用して、「遊技進行に合わせて」これを行うことは、当業者が容易に想到し得ることである。
４　審判請求人等の主張について
　平成２９年３月２１日付けの意見書の「（３−２）本願発明と引用文献発明との対比」において、平成２９年３月３１日付けの出願人名義変更前の出願人（以下、当初出願人という。）は概ね、「…本願発明…は…引用文献１発明…と比較し、＜相違点＞「初当りであることを示す遊技演出を行い前記取り忘れ防止演出を発生させる場合と、持ち球遊技を継続できることを示す遊技演出を行い前記取り忘れ防止演出を発生させない場合とを有する」との点、で少なくとも相違する。」と主張している。
　当初出願人の主張について、本願発明は、上記第３に記載したとおりのものであり、当初出願人が主張する上記＜相違点＞に係る構成を有するものではない。
　したがって、当初出願人の主張を採用することはできない。
５　原査定の理由２（進歩性）についてのむすび
　以上より、本願発明は、当業者が引用文献１に記載された発明及び周知技術１に基づいて容易に発明をすることができたものであるから、特許法第２９条第２項の規定により特許を受けることができない。
第６　原査定の理由３（拡大先願）について
１　先願発明２
　原査定の理由に用いられた、原出願の特許出願の日前の他の出願であって、原出願の出願後に出願公開がなされた特願２０１２−１５９８０２号（以下「先願２」という。特開２０１４−１８４２６号公報参照。）の願書に最初に添付された明細書、特許請求の範囲又は図面（以下「先願明細書等２」という。）には、以下の事項が記載されている（下線は当審にて付したものである。）。
（記載事項）
ア
「【０００９】
　以下、本発明の一実施形態となるパチンコ機について、図面にもとづき詳細に説明する。
【００１０】
（パチンコ機及び球貸機の全体的な説明）
　図１は、
パチンコ機１
　球貸機７１は、パチンコ機１（特に後述する払出制御装置２８）と電気的に接続され、パチンコ機１における貸球の払い出しの可否を制御するものであって、パチンコ機１毎に隣設されている。そして、球貸機７１の前面には、紙幣や硬貨を投入するための投入口７２、
残額を記憶したプリペイド媒体
・・・略・・・
【００１２】
　当該遊技領域１６は、遊技盤２の前面に円弧状に配設された外レール２３及び内レール２４等によって囲まれており、遊技領域１６に左部における両レール２３、２４間が遊技球を遊技領域１６内へ打ち込むための発射通路１３とされている。また、遊技領域１６の略中央には、「０」〜「９」の数字からなる装飾図柄を表示するための図柄表示部６が設けられている。さらに、図柄表示部６を囲むようにＬＥＤを内蔵した種々の発光部材６２、６２・・を備えたセンター部材２６が遊技盤２に設置されており、該センター部材２６の左方には、遊技球が通過可能なゲート部材６０が設けられている。加えて、遊技領域１６におけるセンター部材２６の下方には、遊技球が入賞可能な始動入賞口１９と、一対の翼片を開閉動作可能に備えたチューリップ式電動役物１７と、
開閉可能な扉部材を有する大入賞装置１８
・・・略・・・
【００１５】
　一方、機枠３の後面側には、供給皿７へ貸球や賞品球として払い出される遊技球を貯留するための貯留タンク１１、当該貯留タンク１１と連結された払出装置１２、払出装置１２における払い出し動作を制御する払出制御装置２８、及び各制御基板や装置・部材に電源電圧を供給するための電源装置２９等が設置されている。また、２１は、合成樹脂製のカバー状に形成されたセンターカバーであって、当該センターカバー２１の内部には、遊技に係る主たる制御（たとえば、所謂「大当たり抽選」等）を実行するための
メイン制御装置３０
サブ制御装置４０
が設置されている。
【００１６】
　次に、パチンコ機１の制御機構について、図５をもとに説明する。図５は、パチンコ機１の制御機構を示したブロック図である。
　
メイン制御装置３０には
メインＣＰＵ３２
が搭載されたメイン制御基板３１が内蔵されている。
・・・略・・・
【００１９】
　
サブ制御装置４０には、サブ統合ＣＰＵ４２
が搭載されたサブ統合基板４１が内蔵されている。
イ
「【００２１】
　そして、上記パチンコ機１における基本的な遊技動作について、以下簡略に説明する。
　
遊技者によってハンドル９が回動操作されると、発射装置１０が作動し、発射通路１３を介して遊技球が遊技領域１６内へ打ち込まれ
遊技領域１６内を流下する遊技球が始動入賞口１９又はチューリップ式電動役物１７へ入賞すると
「大当たり抽選」の結果が「大当たり」であるか否かを判定
・・・略・・・
【００２４】
　そして、
「大当たり抽選」の結果が「大当たり」であると、
メインＣＰＵ３２は
大入賞装置１８の扉部材の所定回数にわたる断続的な開成
「大当たり状態」の終了を報知する終了デモからなる「大当たり状態」を生起させる。
　一方、「大当たり抽選」の結果が「外れ」であると、装飾図柄及び特別図柄の確定表示後、保留情報が存在する場合には、メインＣＰＵ３２が、記憶している保留情報のうち最も古い保留情報について、特別図柄の変動を開始する直前に「大当たり抽選」の結果が「大当たり」であるか否かを判定するとともに図柄変動時間を決定し、開始コマンドを送信する等の上記同様の制御を実行するとともに、当該最も古い保留情報を保留情報記憶領域から削除する。また、保留情報が存在しない場合には、次の始動入賞口１９又はチューリップ式電動役物１７への遊技球の入賞をもって「大当たり抽選」及びその結果の判定等を実行する。
　また、
サブ統合ＣＰＵ４２は
ランプ部材
や発光部材
を夫々遊技状態に応じた所定の点灯／点滅態様で発光させる。
ウ
「【００２９】
（プリペイド媒体の返却忘れの防止に係る制御の説明）
　ここで、本発明の要部となるプリペイド媒体の返却忘れの防止に係る制御について、詳細に説明する。
　遊技者によるプリペイド媒体の返却忘れがどのような状況で起こりやすいかを考えると、まず
大当たり状態が生起したことにより、貸し球を使わずとも賞球のみによって遊技を継続することが可能にな
終了デモ中
に
図柄表示部６に注意喚起メッセージ表示領域６ａを設けるとともに、
注意喚起メッセージ表示領域６ａに所定の注意喚起メッセージ表示（たとえば「カードの取り忘れにご注意下さい」等）６５を表示する。
【００３０】
（本実施形態のパチンコ機による効果）
　以上のような構成を有するパチンコ機１によれば、大当たり状態の終了時に、図柄表示部６に注意喚起メッセージ表示６５を所定時間にわたって表示することにより、
プリペイド媒体の返却忘れについて遊技者に注意喚起する
　また、図柄表示部６を注意喚起手段としており、注意喚起手段として別途専用の部材を設けていないため、部材の増加に伴う遊技として使用可能なスペースの低減等といった事態も生じない。」
（認定事項）
エ
　上記ア【００１０】には、「…パチンコ機１…」と記載され、上記ア【００１５】には、「…メイン制御装置３０…サブ制御装置４０…が設置されている。」と記載され、上記ア【００１６】には、「メイン制御装置３０には…メインＣＰＵ３２…が搭載されたメイン制御基板３１が内蔵されている。」と記載され、上記ア【００１９】には、「サブ制御装置４０には、サブ統合ＣＰＵ４２…が搭載されたサブ統合基板４１が内蔵されている。」と記載されているから、パチンコ機１は、メインＣＰＵ３２と、サブ統合ＣＰＵ４２と、を備えているといえる。
　上記記載事項アからウ、及び上記認定事項エを総合すると、先願明細書等２には、
「
ａ２　遊技者によってハンドル９が回動操作させると、発射装置１０が作動し、遊技球が遊技領域１６内へ打ち込まれ、遊技領域１６内を流下する遊技球が始動入賞口１９又はチューリップ式電動役物１７へ入賞すると、「大当たり抽選」の結果が「大当たり」であるか否かを判定し、「大当たり抽選」の結果が「大当たり」であると、開閉可能な扉部材を有する大入賞装置１８の扉部材の所定回数にわたる断続的な開成をする「大当たり状態」を生起させるメインＣＰＵ３２と、　（記載事項ア【００１２】、【００１５】、【００１６】、記載事項イ【００２１】、【００２４】、認定事項エ）
ｂ２　ランプ部材や発光部材を夫々遊技状態に応じた所定の点灯／点滅態様で発光させるサブ統合ＣＰＵ４２と、　（記載事項ア【００１５】、【００１９】、記載事項イ【００２４】、認定事項エ）
　　　を備え、　（認定事項エ）
ｃ２　「大当たり状態」の終了を報知する終了デモ中に、図柄表示部６に注意喚起メッセージ表示領域６ａを設けるとともに、注意喚起メッセージ表示領域６ａに、残額を記憶したプリペイド媒体の返却忘れについて遊技者に注意喚起する所定の注意喚起メッセージ表示（たとえば「カードの取り忘れにご注意下さい」等）６５を表示する　（記載事項ア【００１０】、記載事項イ【００２４】、記載事項ウ【００２９】、【００３０】）
ｆ２　パチンコ機１　（記載事項ア【００１０】）」
の発明（以下「先願発明２」という。）が記載されていると認められる（なお、ａ２からｆ２は、本願発明のＡからＦに対応させて当審で付与した。）。
２　対比・判断
　本願発明と先願発明２とを対比する（なお、本願発明の構成Ａ、Ｂ、Ｃ’及びＦに対応して、見出し（Ａ）、（Ｂ）、（Ｃ’）及び（Ｆ)を付した。）。
（Ａ）先願発明２において、「遊技者によってハンドル９が回動操作させると、発射装置１０が作動し、遊技球が遊技領域１６内へ打ち込まれ、遊技領域１６内を流下する遊技球が始動入賞口１９又はチューリップ式電動役物１７へ入賞する」のが、遊技の進行過程においてであることは自明であるから、先願発明２における「遊技者によってハンドル９が回動操作させると、発射装置１０が作動し、遊技球が遊技領域１６内へ打ち込まれ、遊技領域１６内を流下する遊技球が始動入賞口１９又はチューリップ式電動役物１７へ入賞すると、「大当たり抽選」の結果が「大当たり」であるか否かを判定し、「大当たり抽選」の結果が「大当たり」である」ことは、本願発明における「遊技進行過程において所定の特別遊技条件が成立する」ことに相当する。
　そして、先願発明２における「開閉可能な扉部材を有する大入賞装置１８の扉部材の」「開成」は、技術常識に照らして、「遊技者にとって有利な状態」であることは明らかであるから、先願発明２における「開閉可能な扉部材を有する大入賞装置１８の扉部材の所定回数にわたる断続的な開成をする「大当たり状態」を生起させる」ことは、本願発明における「可変入賞口を遊技者によって有利な状態とする特別遊技を行う」ことに相当する。
　したがって、先願発明２の構成ａ２は、本願発明の構成Ａに相当する。
（Ｂ）先願発明２において、「遊技状態に応じ」ていることは、本願発明において、「遊技進行に合わせて」いることに相当するから、先願発明２における「ランプ部材や発光部材を夫々遊技状態に応じた所定の点灯／点滅態様で発光させるサブ統合ＣＰＵ４２」は、「遊技進行に合わせて所定の遊技演出を行う遊技演出実行手段」に相当する。
　したがって、先願発明２の構成ｂ２は、本願発明の構成Ｂに相当する。
（Ｃ’）先願発明２における「図柄表示部６に注意喚起メッセージ表示領域６ａを設けるとともに、注意喚起メッセージ表示領域６ａに、残額を記憶したプリペイド媒体の返却忘れについて遊技者に注意喚起する所定の注意喚起メッセージ表示（たとえば「カードの取り忘れにご注意下さい」等）６５を表示する」ことは、本願発明における「記録媒体の取り忘れ防止用の演出を」「行う」ことに相当する。
　そして、先願発明２における「「大当たり状態」の終了を報知する終了デモ中」は、本願発明における「前記特別遊技の終了デモ期間中」に相当する。
　したがって、先願発明２の構成ｃ２は、本願発明の構成Ｃ’に相当する。
（Ｆ）先願発明２における「パチンコ機１」は、本願発明における「遊技機」に相当するから、先願発明２の構成ｆ２は、本願発明の構成Ｆに相当する。
　以上より、本願発明と先願発明２とは全ての点で一致し、相違するところはない。
　したがって、本願発明と先願発明２とは同一である。
３　審判請求人等の主張について
　平成２９年３月２１日付けの意見書の「（３−２）本願発明と引用文献発明との対比」において、当初出願人は概ね、「…本願発明…は…引用文献２発明…と比較し、＜相違点＞「初当りであることを示す遊技演出を行い前記取り忘れ防止演出を発生させる場合と、持ち球遊技を継続できることを示す遊技演出を行い前記取り忘れ防止演出を発生させない場合とを有する」との点、で少なくとも相違する。」と主張している。
　当初出願人の主張について、本願発明は、上記第３に記載したとおりのものであり、当初出願人が主張する上記＜相違点＞に係る構成を有するものではない。
　したがって、当初出願人の主張を採用することはできない。
４　原査定の理由３（拡大先願）についてのむすび
　以上より、本願発明は、先願発明２と同一であり、しかも、本願発明の発明者が先願発明２の発明者と同一ではなく、また、原出願の出願時に、本願の出願人が先願２の出願人と同一でもないので、本願発明は、特許法第２９条の２の規定により特許を受けることができない。
第７　むすび
　以上のとおり、本願発明は、当業者が引用文献１に記載された発明及び周知技術１に基づいて容易に発明をすることができたものであるから、特許法第２９条第２項の規定により特許を受けることができず、また、本願発明は、先願発明２と同一であり、しかも、本願発明の発明者が先願発明２の発明者と同一ではなく、原出願の出願時に、本願の出願人が先願２の出願人と同一でもないから、特許法第２９条の２の規定により特許を受けることができない。
　したがって、本願は、拒絶すべきものである。
　よって、結論のとおり審決する。